(57)【特許請求の範囲】
【請求項１】
吸込口（１１）および吹出口（１２）を有すると共に舌部（１３）を有するケーシング（１０）と、
上記ケーシング（１０）内に上記吸込口（１１）に対向して配置されている遠心多翼型のファン（２０）と
を備え、
上記ファン（２０）の回転軸（２０ａ）方向からみて、上記ファン（２０）の回転軸（２０ａ）に直交すると共に上記舌部（１３）における上記ファン（２０）の周方向の先端に接する第１直線（Ｌ１）と、上記ファン（２０）の回転軸（２０ａ）に直交すると共に上記第１直線（Ｌ１）に対して上記舌部（１３）と反対方向に９０度をなす第２直線（Ｌ２）と、上記ファン（２０）の先端に接する仮想外側円（Ｃｏ）と、上記仮想外側円（Ｃｏ）の半径の半分の半径を有する仮想内側円（Ｃｉ）とに囲まれる特定領域（Ｚ）内に、上記ファン（２０）の回転軸（２０ａ）方向の吸込側に対向するように、邪魔板（３０）を設け、
上記ファン（２０）の回転軸（２０ａ）方向からみて、上記ファン（２０）の回転軸（２０ａ）に直交すると共に上記第１直線（Ｌ１）に対して上記舌部（１３）と反対方向に６０度をなす第３直線（Ｌ３）と、上記第１直線（Ｌ１）との間に、上記邪魔板（３０）を配置していることを特徴とする遠心送風機。
【請求項２】
請求項１に記載の遠心送風機において、
上記ファン（２０）の回転軸（２０ａ）方向からみて、上記ファン（２０）の回転軸（２０ａ）に直交すると共に、上記舌部（１３）の先端とこの舌部（１３）に対向する側の上記ケーシング（１０）の内面とを結ぶ線分のうち最短距離をなす線分（Ｌｍ）の中点（Ｍ）を通る第４直線（Ｌ４）と、上記第３直線（Ｌ３）との間に、上記邪魔板（３０）を配置していることを特徴とする遠心送風機。
【請求項３】
請求項１または２に記載の遠心送風機において、
上記ファン（２０）の吸込側に、格子部材（４０）を設け、
上記格子部材（４０）は、上記ファン（２０）の回転軸（２０ａ）方向からみて、上記邪魔板（３０）の上記舌部（１３）側の端縁と上記第１直線（Ｌ１）との間の領域の格子目が、上記ファン（２０）の回転軸（２０ａ）に対して上記舌部（１３）とは反対側の格子目よりも、粗いことを特徴とする遠心送風機。
【請求項４】
請求項１から３の何れか一つに記載の遠心送風機において、
上記ファン（２０）は、シロッコファン（２０）であることを特徴とする遠心送風機。
【発明の詳細な説明】
【技術分野】
【０００１】
この発明は、例えば、空気清浄機やファンコイルなどの空気調和機に用いられる遠心送風機に関する。
【背景技術】
【０００２】
従来、遠心送風機としては、吸込口および吹出口を有するケーシングと、ケーシング内に吸込口に対向して配置されている遠心多翼型のファンとを備えているものがある（特開２００２−２５７０９１号公報：特許文献１参照）。
【０００３】
上記ファンは、環状に配置された複数の羽根を有しており、ファンの軸方向の吸込側から空気を吸い込んで、この空気を羽根の間から遠心方向に吹き出す。
【０００４】
上記ケーシングは、ファンの吹出側に舌部を有しており、この舌部は、ファンから吹き出された空気がファンの吸込側へ逆流することを防止する。
【０００５】
ところで、上記従来の遠心送風機では、上記ケーシングの吸込口から吸い込まれた空気は、ファンの中央部に吸い込まれ、ファンから遠心方向に吹き出される。そして、ケーシングの吹出口に対向する羽根から遠心方向に吹き出される空気は、層流の状態で舌部に直接に当たるため、ファンの羽根の先端とケーシングの舌部との干渉に起因するＮｚ音（ファンの羽根枚数Ｎと回転数ｚとの積Ｎｚの周波数を持つピーク音）が発生するという問題があった。
【先行技術文献】
【特許文献】
【０００６】
【特許文献１】特開２００２−２５７０９１号公報
【発明の概要】
【発明が解決しようとする課題】
【０００７】
そこで、この発明の課題は、ケーシングの舌部とファンの先端との干渉に起因するＮｚ音の発生を抑制できる遠心送風機を提供することにある。
【課題を解決するための手段】
【０００８】
上記課題を解決するため、この発明の遠心送風機は、
吸込口および吹出口を有すると共に舌部を有するケーシングと、
上記ケーシング内に上記吸込口に対向して配置されている遠心多翼型のファンと
を備え、
上記ファンの回転軸方向からみて、上記ファンの回転軸に直交すると共に上記舌部における上記ファンの周方向の先端に接する第１直線と、上記ファンの回転軸に直交すると共に上記第１直線に対して上記舌部と反対方向に９０度をなす第２直線と、上記ファンの先端に接する仮想外側円と、上記仮想外側円の半径の半分の半径を有する仮想内側円とに囲まれる特定領域内に、上記ファンの回転軸方向の吸込側に対向するように、邪魔板を設け、
上記ファンの回転軸方向からみて、上記ファンの回転軸に直交すると共に上記第１直線に対して上記舌部と反対方向に６０度をなす第３直線と、上記第１直線との間に、上記邪魔板を配置していることを特徴としている。
【０００９】
この発明の遠心送風機によれば、上記ファンの回転軸方向の吸込側に対向するように、邪魔板を設けているので、上記ケーシングの吸込口から吸い込まれた空気は、上記ファンの吸込側に対向するように配置された邪魔板に当たって、この空気の流れが、乱される。つまり、邪魔板にて乱流を発生する。
【００１０】
そして、上記邪魔板は、上記特定領域内に設けられているため、邪魔板で発生した乱流状態の空気をファンから舌部に直接に当てることができる。
【００１１】
このように、上記邪魔板で発生した乱流状態の空気を舌部に当てることにより、ファンから吹き出された層流状態の空気が舌部に直接に当たることを阻止して、ケーシングの舌部とファンの先端との干渉に起因するＮｚ音の発生を抑制できる。
【００１３】
また、上記邪魔板は、上記第１直線と上記第３直線との間に、位置しているため、邪魔板で発生した乱流状態の空気を、確実に舌部に直接に当てることができる。したがって、邪魔板を小さくし、または、邪魔板の数量を少なくしても、Ｎｚ音の発生を抑制できる。
【００１４】
また、一実施形態の遠心送風機では、上記ファンの回転軸方向からみて、上記ファンの回転軸に直交すると共に、上記舌部の先端とこの舌部に対向する側の上記ケーシングの内面とを結ぶ線分のうち最短距離をなす線分の中点を通る第４直線と、上記第３直線との間に、上記邪魔板を配置している。
【００１５】
この実施形態の遠心送風機によれば、上記邪魔板は、上記第３直線と上記第４直線との間に、位置しているため、邪魔板で発生した乱流状態の空気を、一層確実に舌部に直接に当てることができる。したがって、邪魔板を小さくし、または、邪魔板の数量を少なくしても、Ｎｚ音の発生を一層確実に抑制できる。
【００１６】
また、一実施形態の遠心送風機では、
上記ファンの吸込側に、格子部材を設け、
上記格子部材は、上記ファンの回転軸方向からみて、上記邪魔板の上記舌部側の端縁と上記第１直線との間の領域の格子目が、上記ファンの回転軸に対して上記舌部とは反対側の格子目よりも、粗い。
【００１７】
この実施形態の遠心送風機によれば、上記格子部材は、上記ファンの回転軸方向からみて、上記邪魔板の上記舌部側の端縁と上記第１直線との間の領域の格子目が、上記ファンの回転軸に対して上記舌部とは反対側の格子目よりも、粗いので、邪魔板により空気の流れが遮断されても、邪魔板の舌部側の端縁と第１直線との間の粗い格子目から空気を吸い込むことができて、風損を防止できる。
【００１８】
また、邪魔板の舌部側の端縁と第１直線との間の粗い格子目を通過する空気の流れと邪魔板に当たって発生する乱流状態の空気の流れとの混合により、大きな乱流を発生することができる。そして、この大きな乱流状態の空気を舌部に当てることができて、Ｎｚ音の発生を一層抑制できる。
【００１９】
また、一実施形態の遠心送風機では、上記ファンは、シロッコファンである。
【００２０】
この実施形態の遠心送風機によれば、上記ファンとして、シロッコファンを用いたときに、より有効に、Ｎｚ音の発生を抑制できる。
【発明の効果】
【００２１】
この発明の遠心送風機によれば、上記特定領域内に、上記ファンの回転軸方向の吸込側に対向するように、上記邪魔板を設けているので、ケーシングの舌部とファンの先端との干渉に起因するＮｚ音の発生を抑制できる。
【図面の簡単な説明】
【００２２】
【図１】本発明の遠心送風機を用いた空気清浄機の正面側からみた斜視図である。
【図２】遠心送風機の背面側からみた斜視図である。
【図３】ファンを取り除いた状態の遠心送風機の背面側からみた斜視図である。
【図４】遠心送風機の簡略断面図である。
【図５】遠心送風機の作用を説明する作用説明図である。
【発明を実施するための形態】
【００２３】
以下、この発明を図示の実施の形態により詳細に説明する。
【００２４】
図１は、この発明の遠心送風機を用いた空気清浄機の正面側からみた斜視図を示している。図１に示すように、この空気清浄機は、本体ケーシング１と、この本体ケーシング１内に配置されている遠心送風機２とを有する。図中、矢印Ｆ方向を、正面方向（前方向）とし、矢印Ｂ方向を、背面方向（後方向）とする。
【００２５】
上記本体ケーシング１内には、上記遠心送風機２の前方に図示しないフィルタユニットを配置している。そして、遠心送風機２の作用により、本体ケーシング１の前面から外部の空気を吸い込む。本体ケーシング１内に吸い込まれた空気は、フィルタユニットを通過し、埃や細菌等を取り除かれて清浄にされた後、遠心送風機２内を通過して、本体ケーシング１の吹出口１ａから外部に吹き出される。
【００２６】
図１と図２と図３に示すように、上記遠心送風機２は、ケーシング１０と、このケーシング内１０に配置されている遠心多翼型のファン２０とを備えている。なお、図２と図３は、背面方向（矢印Ｂ方向）からみた斜視図を示し、図３は、ファン２０を取り除いた状態を示している。
【００２７】
上記ケーシング１０は、前方に開口した吸込口１１と上方に開口した吹出口１２とを有する。この吸込口１１は、いわゆるベルマウスとよばれ、ケーシング１０の片面のみに設けられているため、遠心送風機２は、いわゆる片吸込タイプの遠心送風機である。
【００２８】
上記ファン２０は、吸込口１１に対向して配置されている。つまり、ファン２０の回転軸２０ａ方向の一方の端面が、吸込口１１に対向するように配置されている。ファン２０は、シロッコファンであり、環状に等ピッチに配置された複数の羽根２１を有している。ファン２０は、図２の矢印Ａ方向に回転することで、ファン２０の回転軸２０ａ方向の吸込側から空気を吸い込んで、この空気を羽根２１の間から遠心方向に吹き出す。
【００２９】
上記ケーシング１０は、ファン２０の吹出側に舌部１３を有している。舌部１３は、ケーシング１０の内面におけるファン２０の回転方向（Ａ方向）に位置し、ファン２０の回転方向と反対方向に突出している。舌部１３は、ファン２０から吹き出された空気がファン２０の吸込側へ逆流することを防止する。
【００３０】
上記ファン２０の回転軸２０ａ方向の吸込側に、格子部材４０を設けている。格子部材４０は、ケーシング１０の吸込口１１に取り付けられている。格子部材４０は、手が吸込口１１に挿入することを阻止し、手がファン２０に接触することを防止する。
【００３１】
上記ファン２０の回転軸２０ａ方向の吸込側に対向するように、邪魔板３０を設けている。邪魔板３０は、ファン２０に吸い込まれる空気の流れを部分的に遮る。邪魔板３０は、格子部材４０のファン２０側の側面に、取り付けられている。
【００３２】
図４に示すように、上記邪魔板３０は、ファン２０の回転軸２０ａ方向からみて、第１直線Ｌ１と第２直線Ｌ２と仮想外側円Ｃｏと仮想内側円Ｃｉとに囲まれる特定領域Ｚ内に、位置している。図４では、わかりやすくするために特定領域Ｚをハッチングにて示している。
【００３３】
上記第１直線Ｌ１は、ファン２０の回転軸２０ａに直交すると共に舌部１３におけるファン２０の周方向の先端に接する。上記第２直線Ｌ２は、ファン２０の回転軸２０ａに直交すると共に第１直線Ｌ１に対して舌部１３と反対方向に９０度をなす。上記仮想外側円Ｃｏは、ファン２０の回転軸２０ａを中心として、ファン２０の先端（羽根２１の先端）に接する。上記仮想内側円Ｃｉは、ファン２０の回転軸２０ａを中心として、仮想外側円Ｃｏの半径の半分の半径を有する。
【００３４】
詳しくは、上記邪魔板３０は、ファン２０の回転軸２０ａ方向からみて、第１直線Ｌ１と第３直線Ｌ３との間に、位置している。第３直線Ｌ３は、ファン２０の回転軸２０ａに直交すると共に第１直線Ｌ１に対して舌部１３と反対方向に６０度をなす。
【００３５】
さらに、詳しくは、上記邪魔板３０は、ファン２０の回転軸２０ａ方向からみて、第３直線Ｌ３と第４直線Ｌ４との間に、位置している。第４直線Ｌ４は、ファン２０の回転軸２０ａに直交すると共に、舌部１３の先端とこの舌部１３に対向する側のケーシング１０の内面とを結ぶ線分のうち最短距離をなす線分Ｌｍの中点Ｍを通る。
【００３６】
上記邪魔板３０は、ファン２０の羽根２１の根元に接する仮想根元円Ｃｍの径方向内側に、仮想根元円Ｃｍに接するように、位置する。仮想根元円Ｃｍは、ファン２０の回転軸２０ａを中心として、仮想外側円Ｃｏと仮想内側円Ｃｉとの間に位置する。ケーシング１０の吸込口１１の大きさは、仮想根元円Ｃｍと略等しい。
【００３７】
図３と図４に示すように、上記格子部材４０は、ファン２０の回転軸２０ａ方向からみて、邪魔板３０の舌部１３側の端縁と第１直線Ｌ１との間の領域の格子目が、ファン２０の回転軸２０ａに対して舌部１３とは反対側の格子目よりも、粗い。つまり、格子部材４０は、邪魔板３０の舌部１３側の端縁よりも第１直線Ｌ１側に、粗孔部４１を有する。粗孔部４１は、格子部材４０の下部の格子目よりも、粗い。
【００３８】
上記粗孔部４１は、ファン２０の回転軸２０ａ方向からみて、ファン２０の回転軸２０ａに直交すると共に邪魔板３０の舌部１３側の端縁に接する線分と、ファン２０の回転軸２０ａに直交すると共に第１直線Ｌ１に対して舌部１３方向に３０度をなす第５直線Ｌ５と、仮想内側円Ｃｉと、仮想根元円Ｃｍとに囲まれる領域内に、位置している。
【００３９】
上記粗孔部４１は、格子部材４０の上部に設けられている。格子部材４０の上部には、手の挿入を防止する図示しない仕切壁が配置されている。このため、格子部材４０に粗孔部４１を設けても、仕切壁によって、粗孔部４１に手が挿入することがない。
【００４０】
次に、上記構成の遠心送風機２の作用について説明する。
【００４１】
図１と図５に示すように、上記ケーシング１０の吸込口１１から吸い込まれた空気は、ファン２０の吸込側に対向するように配置された邪魔板３０に当たって、この空気の流れが、乱される。つまり、邪魔板３０にて乱流を発生する。
【００４２】
そして、上記邪魔板３０は、上記特定領域Ｚ内に設けられているため、邪魔板３０で発生した乱流状態の空気をファン２０から舌部１３に直接に当てることができる。なお、図５では、わかりやすくするために、乱流状態の空気を、ハッチングにて示している。
【００４３】
このように、上記邪魔板３０で発生した乱流状態の空気を舌部１３に当てることにより、ファン２０から吹き出された層流状態の空気が舌部１３に直接に当たることを阻止して、ケーシング１０の舌部１３とファン２０の先端との干渉に起因するＮｚ音の発生を抑制できる。
【００４４】
なお、上記邪魔板３０を上記特定領域Ｚ以外に設けた場合、ケーシング１０の吹出口１２に対向する羽根２１に吸い込まれる空気の流れを乱すことがないため、乱流状態の空気を舌部１３に当てることがなく、Ｎｚ音の発生を抑制できない。
【００４５】
また、上記邪魔板３０は、第３直線Ｌ３と第４直線Ｌ４との間に、位置しているため、邪魔板３０で発生した乱流状態の空気を、一層確実に舌部１３に直接に当てることができる。言い換えると、邪魔板３０は、邪魔板３０で発生した乱流状態の空気が舌部１３に直接に当たるような位置に、配置されている。したがって、邪魔板３０を小さくし、または、邪魔板３０の数量を少なくしても、Ｎｚ音の発生を一層確実に抑制できる。
【００４６】
なお、上記邪魔板３０を第１直線Ｌ１と第３直線Ｌ３との間に設けた場合、邪魔板３０を第２直線Ｌ２と第３直線Ｌ３との間に設ける場合に比べて、Ｎｚ音の発生を著しく抑制できる。また、邪魔板３０を第３直線Ｌ３と第４直線Ｌ４との間に設けた場合、邪魔板３０を第１直線Ｌ１と第４直線Ｌ４との間に設ける場合に比べて、Ｎｚ音の発生を一層著しく抑制できる。
【００４７】
また、上記邪魔板３０は、ファン２０の羽根２１の根元の内側（仮想根元円Ｃｍの内側）に、仮想根元円Ｃｍに接するように、配置されているため、舌部１３に直接に空気を吹き付けることに寄与する羽根２１に関して、この羽根２１に吸い込まれる空気の流路に、邪魔板３０を配置することができ、邪魔板３０で発生した乱流状態の空気を舌部１３に直接かつ有効に当てることができる。
【００４８】
また、上記格子部材４０は、ファン２０の回転軸２０ａ方向からみて、邪魔板３０の舌部１３側の端縁と第１直線Ｌ１との間の領域の格子目（粗孔部４１）が、ファン２０の回転軸２０ａに対して舌部１３とは反対側の格子目よりも、粗いので、邪魔板３０により空気の流れが遮断されても、粗孔部４１から空気を吸い込むことができて、風損を防止できる。また、粗孔部４１を通過する空気の流れと邪魔板３０に当たって発生する乱流状態の空気の流れとの混合により、大きな乱流を発生することができる。そして、この大きな乱流状態の空気を舌部１３に当てることができて、Ｎｚ音の発生を一層抑制できる。
【００４９】
また、上記ファン２０として、シロッコファン２０を用いたときに、より有効に、Ｎｚ音の発生を抑制できる。
【００５０】
なお、この発明は上述の実施形態に限定されない。例えば、邪魔板を、特定領域内でかつ第２直線と第３直線との間に、位置してもよく、邪魔板で発生した乱流状態の空気を舌部に当てることにより、ファンから吹き出された層流状態の空気が舌部に直接に当たることを阻止して、Ｎｚ音の発生を抑制できる。
【００５１】
また、邪魔板を、特定領域内でかつ第１直線と第４直線との間に、位置してもよく、邪魔板で発生した乱流状態の空気を、確実に舌部に直接に当てることができる。したがって、邪魔板を小さくし、または、邪魔板の数量を少なくしても、Ｎｚ音の発生を抑制できる。
【００５２】
また、格子部材の粗孔部を、邪魔板の舌部側の端縁と第１直線との間の領域のみに設けてもよく、風損を防止しつつ、Ｎｚ音の発生を一層抑制できる。
【００５３】
また、遠心送風機として、片吸込タイプの遠心送風機以外に、両吸込タイプの遠心送風機に用いてもよい。この両吸込タイプの遠心送風機の場合、ファンの回転軸方向両側の吸込側に邪魔板を設ける。
【００５４】
また、ファンとしては、シロッコファン以外に、ターボファンなどの遠心多翼型のファンを用いてもよい。もちろん、ファンの羽根は、不等ピッチに配置されていてもよい。
【００５５】
また、遠心送風機を、空気清浄機以外に、除湿機、加湿機、冷暖房機（ファンコイル）、あるいはこれらの機能を複数備えた装置など、空気調和機全般に用いてもよい。
【符号の説明】
【００５６】
１  本体ケーシング
２  遠心送風機
１０  ケーシング
１１  吸込口
１２  吹出口
１３  舌部
２０  ファン
２０ａ  回転軸
２１  羽根
３０  邪魔板
４０  格子部材
４１  粗孔部
Ｌ１  第１直線
Ｌ２  第２直線
Ｌ３  第３直線
Ｌ４  第４直線
Ｌ５  第５直線
Ｌｍ  最短距離をなす線分
Ｍ  中点
Ｃｏ  仮想外側円
Ｃｉ  仮想内側円
Ｃｍ  仮想根元円
Ｚ  特定領域
【図１】
0005131326.tif 000002
【図２】
0005131326.tif 000003
【図４】
0005131326.tif 000004
【図５】
0005131326.tif 000005
【図３】
0005131326.tif 000006